(57)【特許請求の範囲】
【請求項１】
中央に形成した折り畳み部で折り畳んだときに内側となる谷折側の対向する面に、粘着面を形成した捕獲用粘着板と、
該捕獲用粘着板の山折側に跨装して、前記粘着面を接近させるように付勢するクリップと、
該クリップの付勢に抗して前記捕獲用粘着板の前記粘着面の対向間隔を所定間隔に保持する衝立板とからなり、
前記捕獲用粘着板は、前記折り畳み部の山折側の該折り畳み部の両側にそれぞれ係止板を貼着し、該係止板の前記折り畳み部の反対側の側縁に、該折り畳み部に跨装した前記クリップの先端を係止させて、
前記衝立板がねずみにより倒されたとき、前記クリップで付勢されている前記粘着面が接近して、ねずみを捕獲するようにしたことを特徴とするねずみ捕り器。
【発明の詳細な説明】
【技術分野】
【０００１】
本発明は、ねずみ捕り器に関する。
【背景技術】
【０００２】
例えば、公開実用新案公報昭５２−１１１６６７号に開示されているねずみ捕り器は、上部を中心として内側へ回動されるように常時付勢された一対の外側挟着部材に対し、同挟着部材をその弾性に抗して所定間隔に保持し得るようにした作動部材を係脱可能にしてなる器枠と、同器枠内側に対し着脱可能に挿通して、かつ少なくとも底面及びその両側の若干の高さ部分を除いて内側に接着剤を塗布した筒状の内側挟着部材とにより、前記作動部材上にねずみの荷重が加わったとき、外側挟着部材の弾力により内側挟着部材が閉じるように構成したものである。
【特許文献１】公開実用新案公報昭５２−１１１６６７号
【発明の開示】
【発明が解決しようとする課題】
【０００３】
しかし、上記のねずみ捕り器は、特に器枠の製作が面倒で手間がかかり、コスト高となる。また、使用時においては、器枠を広げて筒状の内側挟着部材をセットする必要があり、使い勝手がよくない。
そこで本発明が解決しようとする課題は、使い勝手が良く、簡易な構成とすることにより安価なねずみ捕り器を提供することを目的とする。
【課題を解決するための手段】
【０００４】
請求項１に記載のねずみ捕り器は、中央に形成した折り畳み部で折り畳んだときに内側となる谷折側の対向する面に、粘着面を形成した捕獲用粘着板と、
該捕獲用粘着板の山折側に跨装して、前記粘着面を接近させるように付勢するクリップと、
該クリップの付勢に抗して前記捕獲用粘着板の前記粘着面の対向間隔を所定間隔に保持する衝立板とからなり、
前記捕獲用粘着板は、前記折り畳み部の山折側の該折り畳み部の両側にそれぞれ係止板を貼着し、該係止板の前記折り畳み部の反対側の側縁に、該折り畳み部に跨装した前記クリップの先端を係止させて、
前記衝立板がねずみにより倒されたとき、前記クリップで付勢されている前記粘着面が接近して、ねずみを捕獲するようにしたことを特徴とする。
【発明の効果】
【０００５】
請求項１に記載のねずみ捕り器によれば、該ねずみ捕り器は、中央に折り畳み部を形成した捕獲用粘着板、クリップ及び衝立板からなる簡易な構成としたので、安価で、かつ、使い勝手が良く、容易に現場で組み立てることができる。
【０００６】
さらに、ねずみは、通り道上に置かれた障害物の高さが目線の高さ程度である場合には、その障害物を飛び越えて行くという習性がある。そのため、通り道上にねずみ捕り器を設置した際に障害物にあたる衝立板をねずみが飛び越え、ねずみの胴体又は尾の一部が捕獲用粘着板若しくは衝立板に触れたときに、クリップの付勢に抗して粘着面の対向間隔を所定間隔に保持している衝立板が倒れる。このため、付勢された捕獲用粘着板が急激に接近して、ねずみを捕獲することができる。
【０００７】
そして、折り畳み部の山折側の該折り畳み部の両側にそれぞれ係止板を貼着し、該係止板の前記折り畳み部の反対側の側縁に、該折り畳み部に跨装した前記クリップの先端を係止させるようにした。そのため、クリップが滑って外れないようにすることができると共に、確実に捕獲用粘着板の粘着面が接近するように付勢力を作用させることができる。
また、ねずみの捕獲後に、捕獲用粘着板にねずみを挟んだまま、ねずみ捕り器を運び、クリップを拡開して、容易に捕獲用粘着板を捨てることができる。したがって、ねずみを捕獲した捕獲用粘着板に触れずにねずみを処分することができることから、衛生上安全にねずみ捕り器を取り扱うことができる。
【実施例１】
【０００８】
本発明の実施例として、添付した図面にしたがって説明する。
図１に示すように、ねずみ捕り器１０は、捕獲用粘着板１１と、クリップ１２と、衝立板１３とからなる。
捕獲用粘着板１１は、所定の大きさの矩形の段ボール紙、厚紙等からなり、図２に示すように、中央に折り畳み部１４が形成されている。
該折り畳み部１４で折り畳んだときに、内側となる谷折側１５の対向する面に、粘着面１７ａ、１７ｂが形成されている。粘着面１７ａ，１７ｂは、粘着剤を塗布して形成されている。一方、外側となる山折側１６には、折り畳み部１４の両側に、それぞれ係止板１８ａ，１８ｂが貼着されている。
対向する粘着面１７ａ，１７ｂの周縁部には、板材を貼着した枠部１９が設けられている。粘着面１７ａ，１７ｂの中央部には、円形状に形成したスポンジ等からなるパッチ２０がそれぞれ貼着されている。粘着面１７ａ，１７ｂの枠部１９と、パッチ２０は、折り畳んだ際にそれぞれ互いに当接して、粘着面１７ａ，１７ｂが貼り着くのを防止している。
なお、粘着面１７ａ，１７ｂは、両面テープ等の粘着テープを貼着して形成することもできる。
【０００９】
クリップ１２は、回動軸２５に対し、把持部２６と挟持部２７とが形成され、挟持部２７を内側へ付勢するバネ２８が設けられている。クリップ１２を折り畳み部１４の山折側１６に跨装させたとき、挟持部２７は、粘着面１７ａ，１７ｂを接近させるようにバネ２８の復原力によって付勢する。この場合に、挟持部２７の先端２７ａは、係止板１８ａ，１８ｂの折り畳み部１４の反対側の側縁部に係止される。これにより、粘着面１７ａ，１７ｂの対向間隔が衝立板１３によって拡開された場合に、クリップ１２の挟持部２７が捕獲用粘着板の面上を滑って外れてしまわないようにすることができる。しがたって、クリップ１２は粘着面１７ａ，１７ｂを急激に接近させるように確実に付勢することができる。
また、クリップ１２は、市販されている洗濯ばさみを用いても良く、その際には、折り畳み部１４に跨装させたときに係止板１８ａ，１８ｂへ挟持部２７の先端２７ａが係止されるように、挟持部２７が半弧状に形成されたものが好ましい。
【００１０】
衝立板１３は、台形状の厚紙等からなり、図３に示すように、下辺の中央からＴ字形の切れ込みが入れられ、一対の脚部３０ａ，３０ｂが形成されている。該脚部３０ａ，３０ｂは、折り曲げ角度が９０度以下となるように互い違いに折り曲げられている。そのため、衝立板１３は、自立することができるものの、ねずみが接触した場合には、容易に倒れるようにされている。衝立板１３の両端部３１ａ，３１ｂは、捕獲用粘着板１１の粘着面１７ａ，１７ｂに触れずに枠部１９へ当接させることができるように、細長く形成されている。なお、該両端部３１ａ，３１ｂは、枠部１９上を容易に滑動させるために、斜めに切除しても良い。
衝立板１３は、クリップ１２の付勢に抗して捕獲用粘着板１１の粘着面１７ａ，１７ｂの対向間隔を所定間隔に保持するように、粘着面１７ａ，１７ｂの折り畳み部１４の反対側の枠部１９に装着されている。
【００１１】
そして、衝立板１３は、設置する場所や捕獲するねずみの種類に応じて、両端部３１ａ，３１ｂを切除して、衝立板１３の長さを調整することができ、それによって捕獲用粘着板１１の幅や高さを調節することができる。
また、ねずみの餌となるものの香り等からなる香料を混合したペースト状又は液体状の誘引剤を、衝立板１３に塗布することによって、ねずみをねずみ捕り器の中へ誘導し、捕獲することができる。
【００１２】
上記の構成を有するねずみ捕り器１０は、以下のように使用される。
図１に示すように、折り畳み部１４を上方にして捕獲用粘着板１１を折り畳み、粘着面１７ａと粘着面１７ｂとを対向させる。そして、クリップ１２を折り畳み部１４の山折側１６に跨装し、係止板１８ａ，１８ｂの折り畳み部１４の反対側の側縁にクリップ１２の挟持部２７の先端２７ａを係止させる。これにより、捕獲用粘着板１１は、クリップ１２により粘着面１７ａ，１７ｂを接近させるように付勢される。
一方、衝立板１３は、クリップ１２の付勢に抗するように粘着面１７ａと粘着面１７ｂとの間で、捕獲用粘着板１１の下辺の枠部１９間に所定間隔を保持するように配設される。衝立板１３の両端部３１ａ，３１ｂの角部には、クリップ１２の付勢力が等分に作用している。
このようにして、ねずみ捕り器１０は立設保持され、捕獲用粘着板１１の両側には、二等辺三角形状の開放側面３５ａ，３５ｂが形成される。
そして、ねずみ捕り器１０は、ねずみの巣穴前に開放側面３５ａ，３５ｂのいずれかを向けたり、ねずみの通り道に沿って開放側面３５ａ，３５ｂを向けたりして設置される。
【００１３】
ここで、ねずみの進行方向にある障害物の高さが、ねずみの目線の高さと同程度の高さ、若しくはそれ以下の高さである場合、ねずみは、該障害物を飛び越えて行くという習性がある。
【００１４】
図４に示すように、ねずみ（図中２点鎖線で示す）が、進行方向にある障害物にあたる衝立板１３を飛び越えた場合、衝立板１３の上方には上に向かって幅が漸減する粘着面１７ａ，１７ｂがあるので、ねずみは、粘着面１７ａ，１７ｂのいずれか一方に接触して、捕獲される。その後、捕獲されたねずみが粘着面１７ａ，１７ｂから逃れようとして暴れると、衝立板１３は倒れて捕獲用粘着板１１から外れるので、クリップ１２で付勢された粘着面１７ａ，１７ｂは急激に接近し、捕獲したねずみを付勢力によってより強固に粘着面１７ａと粘着面１７ｂとの間に挟持する。
また、衝立板１３にねずみの胴体や脚の一部が触れたときには、衝立板１３は容易に倒れるので、急激に接近する粘着面１７ａと粘着面１７ｂとの間にねずみは挟持され、捕獲される。
したがって、ねずみは、クリップ１２の付勢力と粘着面１７ａ，１７ｂの粘着力により捕獲される。
【００１５】
さらに、衝立板１３に誘引剤が塗布されている場合、或いは衝立板１３の脚部３０ａ，３０ｂの間に餌を置いた場合には、匂いに導かれてねずみ捕り器１０内に進入したねずみは、該衝立板１３の臭いを嗅いだり、餌を巣穴に持ち帰ろうとする。この場合に、ねずみの胴体や脚の一部が粘着面１７ａ、粘着面１７ｂ、若しくは衝立板１３のいずれかに触れれば、ねずみは、粘着面１７ａ、粘着面１７ｂのいずれかに貼り着き、さらにまた、衝立板１３は倒されるので、急激に接近する粘着面１７ａと粘着面１７ｂとの間にねずみは挟持され、捕獲される。
【００１６】
本実施例によれば、捕獲用粘着板１１は、中央部で折り畳まれて市販されている平板状の粘着式ねずみ捕り器を流用することができる。また、クリップ１２も、市販されている挟持部２７が半弧状に形成され、バネ２８により内側に付勢する洗濯ばさみを流用することができる。これにより、本実施例のねずみ捕り器１０は、捕獲用粘着板１１とクリップ１２とを容易に調達することができると共に、捕獲用粘着板１１、クリップ１２並びに衝立板１３によって容易に組み立てることができる。
【００１７】
そして、本実施例の捕獲用粘着板１１及び衝立板１３は、段ボール紙、厚紙等から形成される。そのため、ねずみを捕獲して処分するとき、捕獲したねずみに直接触れること無くそのまま捨てることができる。したがって、衛生上安全であって、使い勝手が良い。また、捕獲用粘着板１１を使い回すことが無いので、捕獲用粘着板１１に他の縄張りのねずみの臭いが付着しない。
【００１８】
さらに、ねずみの通り道上に設置し、その上を通過するねずみを粘着面で捕獲するように構成したねずみ捕り器は、水や油、泥等の汚れが付着したねずみの脚に、粘着剤を付着させてねずみを捕獲するのに対し、本実施例のねずみ捕り器１０は、捕獲用粘着板１１の粘着面１７ａ，１７ｂがねずみの胴体部に密着する。そのため、粘着面１７ａ，１７ｂに粘着力を弱める水や油、泥等の汚れが付着しないことから、捕獲の確実性を高めることができる。
【００１９】
また、捕獲用粘着板１１は、折り畳んで設置するもので、ねずみの通り道に沿って開放側面３５ａ，３５ｂを向けたときに、該開放側面３５ａ，３５ｂの下辺は地面が露出する。そのため、ねずみ捕り器１０の入口部分にあたる開放側面３５ａ，３５ｂには段差が生じないことから、ねずみ捕り器１０の中へ警戒心や違和感を抱かせずにねずみを誘導し、捕獲することができる。
【図面の簡単な説明】
【００２０】
【図１】本実施例に係るねずみ捕り器を示す斜視図である。
【図２】本実施例に係るねずみ捕り器の捕獲用粘着板の谷折側を示す平面図である。
【図３】本実施例に係るねずみ捕り器の衝立板を示す斜視図である。
【図４】本実施例に係るねずみ捕り器の作動状態を示す説明図である。
【符号の説明】
【００２１】
１０…ねずみ捕り器、１１…捕獲用粘着板、１２…クリップ、１３…衝立板、
１４…折り畳み部、１５…谷折側、１６…山折側、
１７ａ…粘着前面、１７ｂ…粘着後面、１８ａ，１８ｂ…係止板、１９…枠部、２０…パッチ、
２５…回動軸、２６…把持部、２７…挟持部、２７ａ…挟持部の先端、
３０ａ，３０ｂ…脚部、３１ａ，３１ｂ…両端部
３５ａ，３５ｂ…開放側面。
【図１】
0004780626.tif 000002
【図２】
0004780626.tif 000003
【図３】
0004780626.tif 000004
【図４】
0004780626.tif 000005